(57)【要約】【課題】リニアモータの連続電流を向上することができ、リニアモータの推力を増加可能であるリニアモータ放熱構造を提供する。【解決手段】主に、一つの固定子と、一つの移動子とから構成されるリニアモータ放熱構造において、固定子は、一定のストロークを作動可能な長さを有し、その内部には、対向する二つの側面に複数の磁石が互いに対応に貼り付けてあり、移動子は、上下固定台と、上下固定台を連結する放熱手段と、放熱手段の二つの側面に固定されたコイルとから構成されることを特徴とする。【選択図】図１
2007312534.tif 000002
【特許請求の範囲】
【請求項１】
主に、一つの固定子と、一つの移動子とから構成されるリニアモータ放熱構造において、
前記固定子は、一定のストロークを作動可能な長さを有し、その内部には、対向する二つの側面に複数の磁石が互いに対応に貼り付けてあり、
前記移動子は、上下固定台と、前記上下固定台を連結する放熱手段と、前記放熱手段の二つの側面に固定されたコイルとから構成されることを特徴とする、
リニアモータ放熱構造。
【請求項２】
前記移動子にある放熱手段は、前記上下固定台を垂直に連結し、その内部に冷却水を流通する水流路が設けてあることを特徴とする、請求項１に記載のリニアモータ放熱構造。
【請求項３】
前記移動子にある放熱手段と前記上下固定台の連結箇所には、前記コイルの両端を嵌め込んで固定するための嵌め溝が設けてあることを特徴とする、請求項１に記載のリニアモータ放熱構造。
【請求項４】
前記放熱手段の水流路の数量はモータの寸法によって適当に加減することが可能であることを特徴とする、請求項１に記載のリニアモータ放熱構造。
【発明の詳細な説明】
【技術分野】
【０００１】
本発明は、リニアモータ装置に係り、特に、放熱効果を強化することにより、リニアモータの連続電流を向上し、リニアモータの推力を増加可能なリニアモータ放熱構造に関するものである。
【背景技術】
【０００２】
目下、リニアモータの放熱方法は、エアー冷却と、水冷却と、放熱フィンやファンを設置するなどの方法があり、例えば、米国特許第5783877号ではエアー冷却方法が提案され、米国特許第6469406と6717295号では水冷却方法が提案され、米国特許第6300691号では放熱フィンを設置する方法が提案され、米国特許第6472779号ではファンを設置する方法が提案された。
【特許文献１】米国特許第5783877号
【特許文献２】米国特許第6469406号
【特許文献３】米国特許第6717295号
【特許文献４】米国特許第6300691号
【特許文献５】米国特許第6472779号
【発明の開示】
【発明が解決しようとする課題】
【０００３】
しかしながら、これらは、放熱効果が良くなく、熱を有効に発散できなく、パワーのロスが多く、だから、リニアモータの連続電流を向上できなく、リニアモータの推力を増加できない。
【０００４】
本発明の主な目的は、リニアモータの連続電流を向上し、リニアモータの推力を増加可能なリニアモータ放熱構造を提供する。
【課題を解決するための手段】
【０００５】
上記目的を達成するためになされた本願の発明は、主に、一つの固定子と、一つの移動子とから構成されるリニアモータ放熱構造において、前記固定子は、一定のストロークを作動可能な長さを有し、その内部には、対向する二つの側面に複数の磁石が互いに対応に貼り付けてあり、前記移動子は、上下固定台と、前記上下固定台を連結する放熱手段と、前記放熱手段の二つの側面に固定されたコイルとから構成されることを特徴とするリニアモータ放熱構造であることを要旨としている。
【０００６】
本願の発明では、前記移動子にある放熱手段は、前記上下固定台を垂直に連結し、その内部に冷却水を流通する水流路が設けてあることを特徴とする請求項１に記載のリニアモータ放熱構造であることを要旨としている。
【０００７】
本願の発明では、前記移動子にある放熱手段と前記上下固定台の連結箇所には、前記コイルの両端を嵌め込んで固定するための嵌め溝が設けてあることを特徴とする請求項１に記載のリニアモータ放熱構造であることを要旨としている。
【発明の効果】
【０００８】
本発明に係るリニアモータ放熱構造によれば、次のような効果がある。
（イ）熱を有効に発散でき、モータの電流を２倍以上に増加でき、これにより、モータの推力が２倍以上に増加でき、駆動効率は大幅に向上になる。
【０００９】
（ロ）モータが作動する際には、移動子の高温による変形を有効に防止でき、これにより、固定子との摩擦がなくなり、モータの故障率を大幅に低減できる。
【００１０】
（ハ）放熱手段の水流路の数量はモータの寸法によって適当に加減することが可能であるので、極めて経済的な製品である。
【００１１】
（ニ）放熱手段がアルミで作製されたものである場合には、モータのリニア移動による渦電流が固定子と「ダンパー現象」を発生し、これにより、モータの作動特性はもっと完璧になる。
【発明を実施するための最良の形態】
【００１２】
以下、添付図面を参照して本発明の好適な実施の形態を詳細に説明する。
【００１３】
まず、図１乃至図５を参照する。図１は本発明の実施例の分解斜視図であって、主に、一つの固定子１と、一つの移動子２とから構成され、前記固定子1は、コ字形断面形状を呈し、一定のストロークを作動可能な長さを有し、その内部には、対向する二つの側面に複数の磁石３が互いに対応に貼り付けてあり、これらの磁石３により作動通路が形成される。
【００１４】
前記移動子２は、上下固定台２１，２２と、前記上下固定台２１，２２を連結する放熱手段２３と、前記放熱手段２３の二つの側面に固定されたコイル２４とから構成され、なお、前記放熱手段２３は、その外面に設置されたコイル２４で発生される熱を外部に発散するために、その本体には冷却水を流通する水流路が開設してあり、前記移動子２にある放熱手段２３と前記上下固定台２１，２２の連結箇所には、前記コイル２４の両端を嵌め込んで固定するための嵌め溝２３２が設けてあり、前記嵌め溝２３２は適当な深さを有し、本実施例では、コイル２４の外周には粘着剤が充填され、これにより、コイル２４の固定がもっと強化される。
【００１５】
次に、図１乃至図３を参照して本発明の組付方法を詳細に説明する。前記固定子1のコ字形断面形状を呈する本体１１は、一体成形されてもいいし、三つの部品を締結し結合してもよく、これらの構造は、本発明の重点ではないので、説明を省略し、なお、本体１１を完成した後、その内部には、対向する二つの側面に予定数量の磁石３が互いに対応し等間隔に貼り付けられ、且つ前記二つの側面に貼り付けられた磁石３の数量は同じ、これにより、磁界が形成され、すなわち、移動子２の作動通路が形成される。また、移動子２は、上下固定台２１，２２と放熱手段２３をエ字形にし、コイル２４が上下固定台２１，２２に設けた嵌め溝２３２に嵌め込んで固定し、なお、コイル２４の外周に、粘着剤を充填し、又はガラス繊維板を貼り付けることは、全てコイル２４の固定を強化する効果がある。
【００１６】
次に、図５を参照して本実施例の作動状態を詳細に説明する。移動子２の駆動によって、リニアモータの移動子２に固定された機器が固定子１で作動するときに、コイル２４が放熱手段２３の二つの側辺に設置され、作動する際に発生した熱はリニアモータの使用寿命および作動効率に影響し、水冷却方法を採用する本実施例に係る放熱手段２３により、熱が水流路２３１内に循環する冷却水で発散されるので、放熱効果は大幅に向上になり、且つ放熱手段２３の水流路２３１の数量はモータの寸法によって適当に加減することが可能であるので、極めて経済的な製品である。
【００１７】
このように、本発明が、特定の例を参照して説明されたが、それらの例は、説明のためだけのものであり、本発明を限定するものではなく、この分野に通常の知識を有する者には、本発明の精神および範囲を逸脱することなく、ここで開示された実施例に変更、追加、または、削除を施してもよいことがわかる。
【図面の簡単な説明】
【００１８】
【図１】本発明の実施例の分解斜視図である。
【図２】本発明の実施例の組合状態を示す斜視図である。
【図３】本発明の実施例の組合状態を示す断面図である。
【図４】本発明の実施例に係る放熱手段の水流路を示す概略図である。
【図５】本発明の実施例の動作を示す概略図である。
【符号の説明】
【００１９】
１        固定子                  ２        移動子
３        磁石                    ２１      上固定台
２２      下固定台                ２３      放熱手段
２３１    水流路                  ２３２    嵌め溝
２４      コイル
【図１】
2007312534.tif 000003
【図２】
2007312534.tif 000004
【図３】
2007312534.tif 000005
【図４】
2007312534.tif 000006
【図５】
2007312534.tif 000007